(57)【要約】  本発明は概略寸法が長さ１００ｍｍ×幅５０ｍｍ×厚み５〜７ｍｍの平面ミラー組立体に関する。組立体１０は実質平坦なミラー１２と、ミラーから該ミラーに垂直な線Ｎに沿って離間した人物を照明するために拡散光を放射する照明手段１４と、照明手段を駆動する１以上の平板電池１６と、電池と照明手段間の電気回路１８と、上記ミラー、照明手段、電源および電気回路を支持するフレーム２０とからなる。  本発明はまた、物品を保持可能な内部空間部１０２と、内部空間部を閉じる閉止部１０４と、内部空間部を照明するための照明手段１０６と、照明手段のための電源１０８と、蓋が開けられるに応じて照明手段を作動させるスイッチ手段１１０とを有するバッグ１００に関する。
2005516361.tif 000002
【特許請求の範囲】
【請求項１】
平坦な反射手段と、
反射手段から当該反射手段に垂直な線にそって離間した対象者を照明するための拡散光を発する照明手段と、
該照明手段を駆動する電源と、
電源と照明手段間の電気回路と、
前記反射手段、照明手段、電源および電気回路を支持するフレームとを有することを特徴とする平面ミラーの組立体。
【請求項２】
前記照明手段の光が発せられる表面は、対象者を照明する光のグレアを低減するため光源の表面よりも大きいことを特徴とする請求項１記載の組立体。
【請求項３】
前記照明手段は、光源と、光が対象者を照明するため通過する光拡散層とを有することを特徴とする請求項１記載の組立体。
【請求項４】
前記照明手段は光源を備え、
さらに、光源からの光が対象者へ直接進むのを阻止するスクリーンと、対象者を照明するため光源からの光を案内し拡散させるガイド手段とを有することを特徴とする請求項１記載の組立体。
【請求項５】
前記ガイド手段は、組立体の離間した領域へ光源からの光を案内することを特徴とする請求項４記載の組立体。
【請求項６】
前記照明手段は、光が対象者を照明するため通過する増強層を有し、
該増強層は、前記垂直な線に対して鋭角に進む照明手段からの光の割合を増大させて、対象者の照明を増強する、請求項１から５のいずれか１に記載の組立体。
【請求項７】
前記照明手段は、対象者を照明するための光源から発せられる光の色を向上するためのカラーフィルタを備えることを特徴とする請求項１から６のいずれか１に記載の組立体。
【請求項８】
前記電源が１以上のフラットリチウム電池からなることを特徴とする請求項１から７のいずれか１に記載の組立体。
【請求項９】
前記電源が１以上のコイン電池からなることを特徴とする請求項１から８のいずれか１に記載の組立体。
【請求項１０】
前記フレームは、前記電源を所定位置へスナップ取付けする手段を有することを特徴とする請求項１から９のいずれか１に記載の組立体。
【請求項１１】
前記照明手段は、少なくとも１つのＬＥＤを有することを特徴とする請求項１から１０のいずれか１に記載の組立体。
【請求項１２】
前記照明手段は、平坦な反射表面と実質同一の面から光を発することを特徴とする請求項１から１１のいずれか１に記載の組立体。
【請求項１３】
組立体が携帯可能であることを特徴とする請求項１から１２のいずれか１に記載の組立体。
【請求項１４】
組立体が１０ｍｍより小さい厚さを有することを特徴とする請求項１から１３のいずれか１に記載の組立体。
【請求項１５】
前記照明手段は前記電源の側方に位置していることを特徴とする請求項１から１４のいずれか１に記載の組立体。
【請求項１６】
請求項１から１５のいずれか１に記載の組立体を備えることを特徴とするデバイスバッグまたはケーシング。
【請求項１７】
請求項１から１５のいずれか１に記載の組立体を備える化粧コンパクト。
【請求項１８】
前記組立体が、コンパクトが開かれたとき自動的に前記照明手段を作動させるスイッチを含むことを特徴とする請求項１７記載のコンパクト。
【請求項１９】
物品を保持可能の内部空間部と、
該内部空間部を閉じるための閉止手段と、
前記内部空間部を照明するための照明手段と、
該照明手段のための電源と、
前記照明手段を作動させるスイッチ手段とを有することを特徴とするバッグまたはケース。
【請求項２０】
前記スイッチ手段は、前記閉止手段が開かれるのに応じて前記照明手段を作動させることを特徴とする請求項１８記載のバッグまたはケース。
【請求項２１】
前記閉止手段が開かれたあと所定時間に前記照明手段を非作動とするタイマを有することを特徴とする請求項１９または２０記載のバッグまたはケース。
【請求項２２】
前記照明手段が、エレクトロルミネッセント光源を有することを特徴とする請求項１９から２１のいずれか１に記載のバッグまたはケース。
【請求項２３】
前記エレクトロルミネッセント光源は、バッグまたはケースの構造に組み込まれたフィルムであることを特徴とする請求項２２記載のバッグまたはケース。
【請求項２４】
前記エレクトロルミネッセント光源は、バッグまたはケースの構造に組み込まれたワイヤであることを特徴とする請求項２３記載のバッグまたはケース。
【請求項２５】
前記照明手段は、少なくとも１つのＬＥＤを有することを特徴とする請求項１９から２１のいずれか１に記載のバッグまたはケース。
【発明の詳細な説明】
【技術分野】
【０００１】
本発明は、平面ミラーの組立体と内部照明を有するバッグまたはケースとを含む照明組立体に関する。
【背景技術】
【０００２】
平坦な反射手段と反射手段から反射手段に垂直な線に沿って離間した対象を照明するための光源とから成るミラー組立体が知られている。照明が増大するほど対象者は特に低い環境照明条件におけるその反射像を一層容易に見ることができる。
【発明の開示】
【発明が解決しようとする課題】
【０００３】
既知の組立体に関する問題の一つは放射光が比較的強烈であることであり、対象者は殆んど直接光源を見ているため、瞳孔の収縮が起こり、このことが反射像を見る対象者の能力を低下させる。太陽の方を向いて物体を見ることに例え得るこのような現象は、光の強度または光源からのグレアに従って増大したコントラストのために、周囲の光が暗い時とくに深刻である。
【０００４】
更に、従来の組立体は、均等に増大した光の強度またはグレアなしには、光を均一に分配しないという問題がある。対象者の反射像の質を向上するためには、シャドウイングを減少させつつ均一に分配することが望ましい。これによって、例えば、対象者がメーキャップを適切に施すことが容易になる。また、光の均一な広がりは対象者をより喜ばせるものとなり得る。
【０００５】
更に従来の装置はサイズと嵩張りに問題がある。このことは、持ち運びに便利な携帯用の組立体としての適用可能性を減じる。また、婦人用またはメーキャップ用コンパクト、その他のミラーを含むデバイス、開口器、ケース等に容易に組み込むことができる組立体を提供することが望ましい。
従来、特に低い環境照明条件においてバッグやケースを開ける時、バッグの中身に十分照明があたらず識別することが困難である。
本発明は上述の問題を克服または少なくとも軽減することを目的とする。
【課題を解決するための手段】
【０００６】
本発明の特徴は添付の特許請求の範囲に定義される。
本発明の特徴によれば、平坦な反射手段と、反射手段から当該反射手段に垂直な線に沿って離間した対象者を照明するための光を発する照明手段と、照明手段を駆動する電源と、電源と照明手段間の電気回路と、上記反射手段、照明手段、電源および電気回路を支持するフレームとを有し、照明手段が少なくとも１つのＬＥＤを有する平面ミラーの組立体が提供される。
【発明を実施するための最良の形態】
【０００７】
本発明を十分理解できるように、例示によってのみ示される種々の実施例を添付図面を参照して説明する。
図１から図４により、携帯用平面ミラーの組立体を示す。
「携帯用」が意味するところは、組立体が持ち運び保持に便利であり、電池のような組立体自体の内部電源を有することである。
組立体は、厚みが幅および長さに比較して小さいという意味で平坦であり、例えば長さ１００ｍｍ×幅５０ｍｍ×厚み５〜１０ｍｍの寸法を有する。組立体のこの形状は、フレームや他のコンポーネントのデザインに加え、電源の選択および配置によって可能であり、７ｍｍ以下の厚みが達成できることを意味する。現在好適な実施形態において厚みは５ｍｍである。
【０００８】
組立体は概念的に１０で示され、実質平坦な反射手段１２と、反射手段から当該反射手段に垂直な線Ｎ（図３参照）に沿って離間した対象者（不図示）を照明するための拡散光を発する照明手段１４と、照明手段を駆動するための図示のように平板電池である電源１６と、電源と照明手段間の電気回路１８と、上記反射手段、照明手段、電源および電気回路を支持するフレーム２０とからなっている。
反射手段は一体成型のプラスチック、ガラスまたは金属ミラー、或いはフレーム２０の高度に磨き上げまたは塗装した面によって構成されてもよい。反射手段はまた像拡大を達成するため僅かに凹面とすることもできる。
【０００９】
１つ以上の照明手段１４を設けることができるが、図示するように、組立体１０は、反射手段の側部に位置させた２つの照明手段と、対象者を均一に照明するのに有利な電源１６とを有する。
照明手段をこのように配置することによって組立体の厚みを減少することができる、即ち、本実施例における限定要因は反射手段と電源とを一体とした厚みであり、電池技術が進歩するにつれ、全体的な厚みにおける更なる減少が達成され得る。
【００１０】
照明手段は、好ましくは小型電球または発光ダイオード（ＬＥＤ）である光源２２からなっている。最近ＬＥＤ技術は、ＬＥＤが今や能動的および受動的な照明用途に適切となるまで向上した。この光源は、図示のように、キャッチ２４のような適当な手段によってフレーム２０に取り付けられる。
【００１１】
光源は、ジャケット（詳細は図４参照）の部分２８によって、または（本実施例の変更例における）フレームの一部によって、視界から遮蔽されるように配置され、その結果対象者が反射手段内の反射像を見ている時に光が光源から直接対象者に進むことがない。この配置によって照明手段１４からのグレアが減少し、したがって瞳孔収縮または部分的視覚消失が軽減され、低い環境照明条件においても対象者がその反射像を見る能力が向上される。
【００１２】
照明手段１４は光を組立体の遠隔エリアに導く反射体２５を有し、反射体２５はフレーム２０のピボット部２６に取り付けられまたは一体化されている。図２に示すように、ピボット部２６は破線で示される位置と実線で示される位置との間で回動可能である。この回動配置は、電源が所定位置にスナップで取り付けられる（下記の更なる記述参照）ため組立を容易にし、かつ追加的に、電源の交換や再充電のための容易な取外しを可能にする。
【００１３】
図４に示すように、ジャケット２９の部分２８は光が直接対象者へ進むのを防ぐので、唯一対象者に届く光は先ず反射体２５によって反射される。反射された光は照明手段の開口３０を通して放射される。この開口は、光源よりも比較的大きな面積を有し、これによって対象者の良好な照明を達成しながら、光の強度やグレアが低減される。
開口３０は照明手段から放射された光を更に拡散するために、さらに拡散層(不図示)を備えてもよい。光源から発せられた光はキャビティ３２（透明媒質を充填してもよい）に進入し、キャビテイ内では開口３０から出る前に反射体２５から多重反射が生じる。
【００１４】
開口３０には対象者へ光を向けるため増強層３４が設けられてもよく、このためには特に微小折り返しの増強フィルムが適している。このようなフィルムは光が垂直面に対し比較的鋭角で進む時のみ光を通すプリズム構造を有し、垂直面に対しより大きな角度で進む光を内面的に反射する。これによって光がほぼ対象者へ向かって進む時のみ光が照明手段から出るようにする複合的な内部反射がキャビティ３２内で生じる。増強層を用いる利点は、比較的電力の弱い光源を採用し得ることであり、このことは電源の寿命を延ばし、あるいはより小さな電源を用いることができて組立体の全体的なサイズを減少することを意味する。
【００１５】
フレーム２０には増強層、拡散層またはカラーフィルター層を受けるための凹部３３が設けられている。
照明手段から放射された光は光の色相を向上するためカラーフィルターを通過させてもよい。例えば、ＬＥＤが光源として用いられる場合、光はよりグレアを生じながらＬＥＤの反射像を見ている対象者にとって好ましくないと感じられる強烈な白青色である。
青色のスペクトルの一部が放射されるのを防ぐカラーフィルターは光の色彩を向上させ、美学的に一層好感をもたせる反射像を提供する。例えば、典型的な白熱タングステン電球は好ましい黄白色を生じるが光源として有効ではない。カラーフィルターは開口３０を横切って配置された層または光源２２を覆うゲルの形をとってもよい。
【００１６】
電源１６は好ましくはリチウム電池のような平板電池であり、多数の種類が入手可能である。電池は図１に示す端子３６を有し、これらは組立体に取り付けられたときに接点３８と電気的に接続する。電池は図１における組立体の背面図に矢印で示される所定の場所に取り付けられ、図２に示すように部分２６の回転によって固定されて、部分２６の開口部４０がキャッチ２４と噛み合う。この配置が迅速な組立を可能にする。
【００１７】
接点３８は電気回路１８によって光源２２に接続されている。電気回路はバックサイドフレックス回路やシングルサイドフレックス回路のようなフレキシブルプリント回路（ＦＰＣ）とすることができ、あるいは、フレーム表面にエッチング形成することができる。その他、現在は好まれないが、絶縁電線とすることもできる。
スイッチ４２は電池１６と光源２２との間の電気回路を閉じるよう操作可能である。このスイッチはプッシュ、スライド、トグルあるいはその他の適切なスイッチとすることができる。
【００１８】
フレーム２０は、透明または着色の射出成形プラスチックなど適当な材料で作られ、あるいはブランク材からのメタルスタンピングで作られる。フレームは一部材である必要はなく、代わりに例えば前部材と背部材とから形成してもよい。フレームの表面は好みのスタイルとしてよい。
【００１９】
ジャケット２９を設ける必要はないが、設ければ組立体のつくりを格好よく包む。ジャケットはラバー、プラスチック、金属、厚紙、紙等の適切な材料で作ってよく、広告用マテリアルを提供するようエンボス加工したりまたは着色することができる。
【００２０】
使用にあたっては、対象者は自分の反射像が反射手段１２内に見えるように組立体を位置づける。スイッチ４２を操作すると電気回路が閉じ、光源２２を駆動する。拡散された光が照明手段から放射され、反射像がよりはっきりと見えるように対象者を照明する。
【００２１】
つぎに、図５〜図１２を参照して、とくに典型的なサイズの婦人用コンパクトにおける使用に適合させた他の携帯用平面ミラーの組立体を示す。
他に記載がなければ、これらの実施例の構成部材は前実施例の構成部材と同様である。このようなコンパクトへの取り付けに適する組立体を実現するために、組立体は小型でなければならず、したがってこれらの図に示した配置が小型化したデザインを可能にする。これらの組立体はまた、とくに制限なしに、ハンドミラー、ハンドバッグミラー、ハンドバッグフラップミラー、拡大鏡、ミラーケース、コンタクトレンズケース、メーキャップキットケースおよびシェービングミラーにも好適である。
【００２２】
図５は新たな組立体１００の斜視図および部分的分解図である。
この組立体は、平面反射手段５０と、反射手段から当該反射手段に垂直な線Ｎに沿って離間した対象者を照明するための拡散光を放射する照明手段５４と、照明手段を駆動する電源５６と、光源と照明手段間の電気回路５８と、上記反射手段、照明手段、電源および電気回路を支持するフレームとからなる。
【００２３】
反射手段５２は、図１〜図４を参照して上述したように構成することができる。
図６〜図８に示すように、反射手段は透明層７２およびアマルガムコーティング層７４によって構成され、反射面を形成する。コーティング層は透明層の裏面全体はカバーせず、光が通過することができる１つ以上、図示では４つの透明窓６２を残している。
【００２４】
４つの照明手段１４が、組立体５０内の概略円形の反射手段の周囲に設けられている。この配置は対象者を均一に照明するのに有利である。各照明手段は、好ましくは図示のような発光ダイオード（ＬＥＤ）である光源６４からなる。この光源はフレーム６０の凹部６６に取り付けられ、必要に応じて接着またはモールドすることができる。
照明手段については、３つの異なる配置を示す図６〜図８を参照してさらに説明する。
【００２５】
図１〜図４に示した前実施例とは異なり、光源（ＬＥＤ）６４は光が直接透明窓を通して対象者に進むように配置されている。
この場合、対象者へ進む光を拡散しグレアを減少し、対象者の反射像を見る能力を向上させるために、拡散層６８が設けられる。あるいは、光を拡散するため透明窓６２をエッチングしてもよい。
好ましい光の質を提供するために、カラーフィルター層(不図示)も設けることができ、あるいはコンドームタイプまたはゲルタイプ層６７をＬＥＤに被せることもできる。
【００２６】
破線の照明コーン７０で示されるように、ＬＥＤからの光を対象者の方へ反射するため、フレーム６０は凹面に形成され、アマルガムまたは反射性艶消し白色スプレー塗装の反射フィニッシュ６９が施されている。
被覆層７４は透明層７２の裏面に設けられている。増強層７６は光を対象者の方へ向けるために設けることができる。
【００２７】
図７に示される照明手段において、光源は被覆層７４を横方向に延在させることによって対象者から遮蔽されている。照明手段は例えばアクリルやガラスで作られた光ガイド７８からなる。ＬＥＤから放射された光は直接対象者へ向って進むことはできず、透明窓６２を経て放射されるまで光ガイド内で内部反射することにより、組立体の遠隔域へ案内される。
増強層７６は、光が概略対象者の方へ進むようになるまでまで光ガイドから離脱するのを防ぐために採用されている。
【００２８】
図７に示される光ガイドの構造を採用する利点は、図９〜図１２に示される組立体から分かるように、光が照明手段から様々なパターンで放射されることである。このようなパターンは対象者の均一な照明を可能にするために選択され、均一な照明はシャドウイングを減少し、より好感を持たせる照明を提供する。このことはまた組立体が非常に適応性があり、多くの異なった形状のコンパクトや他のデバイスに配置することができることを意味する。
【００２９】
図８に示される組立体は、光ガイドが面取り外縁を有するくさび型である点で、図７に示される組立体と異なる。この形状は、光が透明窓６２の方へ反射される角度を改善するために採用されている。
図７、図８において、照明手段５４と反射手段５２とを接着するため、接着剤８０を用いてもよい。
【００３０】
図９〜図１３は、反射手段５２と透明窓６２の異なる配置を採用した種々の異なる組立体を示す。ＬＥＤと光ガイドの配置は図９に示されているが、図１０〜図１３においては省略してある。しかしながら、図１０〜図１３の組立体を得るためにＬＥＤと光ガイドをどのように配列し得るかは説明から明らかである。
図９においては、２つのＬＥＤ６４が光を各々の光ガイド７８に放射するため設けられている。各ＬＥＤから発せられた光は比較的広いエリア、すなわち透明窓６２のエリアにわたって分散され、これによって、対象者を均一に照明しながら、グレアを低減させる。ＬＥＤを２つだけ設けることは、より少ない電力が要求され、このため必要とされる電池はより少なくまたはより薄くて済み、組立体の全体サイズを減じることに寄与することを意味する。
【００３１】
図５〜図１３に示した組立体に採用した電池は、計算器や腕時計など小型の電気デバイスに典型的に使用されるコインバッテリである。このようなタイプの電池は小型で薄く比較的安価である。各図に示すように、複数の電池は、全体の厚みを減少するため、フレーム内の同じ平面に配置することができる。図５に示される実施例では、５つのこのような電池が用いられている。
好都合なことには、いずれかの組立体をコンパクトに組み込む場合に、コンパクトの蓋が開けられる時に照明手段を自動的に作動させるためにスイッチが設けられる。
【００３２】
上記の実施例を要約すると、反射手段内に見られる像の明るさは、顔を照らしている照明源の明るさにできるだけ近いものであるべきである。デバイスの１つの目的は低い照明条件における反射像を明るくすることであるから、デバイスは低い環境照明条件において有効でなければならない。
照明ミラーデバイスが小さければ小さいほど、照明源と対象者反射像の明るさとのコントラストはより重要である。光源があるレベルを超えると、コントラストが大き過ぎ、像は相対的に薄暗く見える。これは操作する者に不快感を生じさせる。極端な例は明るい光による尋問技術であり、部屋が暗いときに顔に向けられたスポットライトの側に立っている人物の顔を見ようとする際に経験する効果である。
【００３３】
反射面が平面ミラーまたは非拡大ミラーである場合、反射面上に見られる像の大きさは反射される対象者の大きさの半分以下である。光源の最も適切な位置は、対象者を均一に照明するため反射面の周辺からであり、デバイスが小さければ小さいほど照明源の明るさと反射された対象者の明るさとのバランスが重要である。
この問題を克服する解決策は、明るさを減少しながら照明の最大値を維持することである。これは各実施例において、結果として明るさを減少した照明と同じレベルを維持しながら、照明源の光放射面積を増大させることによって達成され、これによって反射された像と照明源とのコントラストを減少させている。
【００３４】
これは、１つの方法としては、例えば３Ｍ（登録商標）のオプティカルライティングフイルム（一方の側に非常に正確なプリズムを他方の側に非常に滑らかな仕上げを有するフィルム）など、正しい角度で放射された光（反射面に垂直に向けられた光）のみを伝達する微小折り返しフイルムを使用することによって達成される。他の全ての光は空所の反射面にはね返り、伝達のための正しい角度になったときに再放射される。このようにして、光は効果的に均一に照明窓に広がり、これによって照明源の全体の明るさを減少しながら、同一の照明レベルを維持する。生成された全ての光が対象者に向けられるので、入手可能なルーメンと電源の効果的な利用となる。
【００３５】
従来のデバイスでは、本願実施例によって解決された問題を、光源を照明窓から遠く隔てて配置することにより克服しようとしたが、しかし実際の対象者には非常に少量の有効な光しか向けられないので有効でなかった。他のものは多くの照明源を使用し、このためデバイスのサイズが限定され、依然として有効な光を効果的に対象者に向けることができない。
【００３６】
図１４〜図２２は、内部照明を有し、上述の実施例のいずれの組立体でも組み込み得るハンドバッグを示す。あるいはまた、ハンドバッグの代わりに、ショルダーバッグ、ブリーフケース、キャリオール、スーツケース、リュックサック、クラッチバッグ、ベルトバッグなど他のどのようなバッグやケースを採用してもよい。
【００３７】
図１４〜図１６は、物品を保持可能の内部空間部１０２と、内部空間部を閉じるための閉止手段または閉止部１０４と、内部空間部を照明するための照明手段１０６と、照明手段のための電源１０８と、上記閉止部が開かれるのに応じて照明手段を作動させるスイッチ手段１１０とを有するバッグ１００を示す。組立体１０は閉止部に設けることができる。
【００３８】
照明手段１０６は、バッグの裏張りに設けられたエラストライト（Elastolite）(登録商標)製などのエレクトロルミネッセントパネル、あるいはトリムに組み込まれたエレクトロルミネッセントワイヤからなっている。電源は充電式または交換可能の電池とすることができる。
【００３９】
スイッチ１１０は好ましくはバッグのキャッチに組み込まれ、バッグが開けられる時にスイッチが照明手段１０６を作動させる。あるいは、スイッチは閉止部１０４と内部空間部１０２との間に設けられ、それらの間の相対的動きを感知する。これにより、閉止部が開けられる時に照明手段が作動される。
好ましくは、バッグは、バッグが開けられてから所定時間後に照明手段を不作動にすることができるタイマーを有する。これにより、バッグが長時間開けられたまま放置された場合にも電力が節約される。
【００４０】
図１７〜図１９のバッグ１２２は、図１４〜図１６のバッグ１００と同様であり、それらの相違点のみ説明する。
照明手段１２２は、複数のＬＥＤからなり、好ましくはアクリルまたはガラスのガイドを照明するＬＥＤパネルからなる。
図２０〜図２２のバッグ１３０は、図１４〜図１６のバッグ１００と同様であり、それらの相違点のみ説明する。
照明手段１３２は、小型のフィラメントライトバルブ、または内部空間部１０２内に向けられた複数の単一ＬＥＤからなっている。
図１〜図１３に示された実施例は携帯用平面ミラー組立体に関するが、本発明は自動車の遮光板に組み込まれる組立体などの非携帯用組立体にも適用可能である。
【図面の簡単な説明】
【００４１】
【図１】携帯用ミラー組立体の前面および裏面からの部分分解図である。
【図２】図１の組立体の側面図である。
【図３】図１の組立体を示す斜視図である。
【図４】完成した状態における図１の組立体の断面図である。
【図５】特に婦人用コンパクトに組込むようデザインされた他の携帯用平面ミラーの組立体の部分分解図である。
【図６】図５の組立体の照明手段のより詳細な断面図である。
【図７】他の照明手段の断面図である。
【図８】他の照明手段の断面図である。
【図９】さらに他の組立体を示す斜視図である。
【図１０】さらに他の組立体を示す斜視図である。
【図１１】さらに他の組立体を示す斜視図である。
【図１２】さらに他の組立体を示す斜視図である。
【図１３】さらに他の組立体を示す斜視図である。
【図１４】内部を照明されたバッグの断面図である。
【図１５】内部を照明されたバッグの正面図である。
【図１６】内部を照明されたバッグの斜視図である。
【図１７】内部を照明された他のバッグの断面図である。
【図１８】内部を照明された他のバッグの正面図である。
【図１９】内部を照明された他のバッグの斜視図である。
【図２０】内部を照明されたさらに他のバッグの断面図である。
【図２１】内部を照明されたさらに他のバッグの正面図である。
【図２２】内部を照明されたさらに他のバッグの斜視図である。
【図１】
2005516361.tif 000003
【図２】
2005516361.tif 000004
【図３】
2005516361.tif 000005
【図４】
2005516361.tif 000006
【図５】
2005516361.tif 000007
【図６】
2005516361.tif 000008
【図７】
2005516361.tif 000009
【図８】
2005516361.tif 000010
【図９】
2005516361.tif 000011
【図１０】
2005516361.tif 000012
【図１１】
2005516361.tif 000013
【図１２】
2005516361.tif 000014
【図１３】
2005516361.tif 000015
【図１４】
2005516361.tif 000016
【図１５】
2005516361.tif 000017
【図１６】
2005516361.tif 000018
【図１７】
2005516361.tif 000019
【図１８】
2005516361.tif 000020
【図１９】
2005516361.tif 000021
【図２０】
2005516361.tif 000022
【図２１】
2005516361.tif 000023
【図２２】
2005516361.tif 000024
【国際調査報告】
2005516361.tif 000025
2005516361.tif 000026